【事件の表示】
　特願２０１１−２６１１２９「遊技球循環型遊技システムのための遊技機及び遊技球循環型遊技システム」拒絶査定不服審判事件〔平成２５年　６月１０日出願公開、特開２０１３−１１１３０４〕について、次のとおり審決する。
【結　論】
　本件審判の請求は、成り立たない。
【理　由】
第１　手続の経緯  
　本願は、平成２３年１１月３０日の出願であって、平成２４年１１月２２日付けで拒絶の理由が通知され、平成２５年１月２５日に意見書及び手続補正書が提出されたところ、平成２５年６月７日付けで拒絶査定がなされ、それに対して、平成２５年９月９日に拒絶査定不服審判の請求がなされると同時に明細書及び特許請求の範囲に係る手続補正がなされたものである。  
　
第２　平成２５年９月９日付けの手続補正についての補正却下の決定  
［補正却下の決定の結論］  
　平成２５年９月９日付けの手続補正（以下「本件補正」という。）を却下する。 　
 ［理由］  
１ 補正の内容
　本件補正は、特許請求の範囲を補正する内容を含んでおり、本件補正により、特許請求の範囲の請求項１は、
「遊技球を揚送する揚送装置を介し球発射装置から発射される遊技球を再び前記球発射装置に戻すように循環させる遊技球循環型遊技システムに適用されて、前記球発射装置に加え、球タンク、遊技盤、球払い出し装置及び球送り装置を有する遊技機本体を具備してなる遊技機において、
　前記球タンクから流下する遊技球を払い出す払い出し手段と、
　この払い出し手段から払い出される遊技球を、前記球発射装置に送るように前記球送り装置に向けて案内する通路部材とを備えており、
　当該通路部材は、前記球揚送装置へ排出するための開口部を有して、当該開口部から、前記球送り装置への案内方向から外れる遊技球を排出するようになっており、
　前記揚送装置は、その揚送方向に並ぶ複数列の揚送片により、その列ごとに、前記球発射装置から発射されて前記遊技盤を介し排出される遊技球を受け取って前記球タンクまで揚送することを特徴とする遊技球循環型遊技システムのための遊技機。」
から、
「遊技球を揚送する揚送装置を介し球発射装置から発射される遊技球を再び前記球発射装置に戻すように循環させる遊技球循環型遊技システ
ムのための遊技機であって
　
前記球発射装置、球タンク、遊技盤、球払い出し装置及び球送り装置を有する遊技機本体を具備してなり、
　前記球払い出し装置は、
　この払い出し手段から払い出される遊技球を、前記球発射装置に送るように前記球送り装置に向けて案内する通路部材と
を具備してなり、
　当該通路部材は、前
記揚
、
を前記開口部から前記揚送装置へ排
　前記揚送装置は、その揚送方向に並
ぶ複数列の揚送片を有し、当該複
、前記通路部材の前記開口部から排
るようにした遊
に補正された（下線は、補正箇所を明示するために審決にて付した。）。
　
　上記補正は、補正前の請求項１に記載した発明を特定するために必要な事項である「球払い出し装置」に関して「前記球タンクから流下する遊技球を払い出す払い出し手段と、この払い出し手段から払い出される遊技球を、前記球発射装置に送るように前記球送り装置に向けて案内する通路部材とを具備」する点、及び「揚送装置」に関して「前記通路部材の前記開口部から排出される遊技球を受け取」る点を限定事項として含むものであって、特許法第１７条の２第５項第２号の特許請求の範囲の減縮を目的とするものに該当する。
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
  
２ 独立特許要件について
（１）刊行物１
　原査定の拒絶の理由に引用文献１として引用された特開２００３−１０２９３０号公報（以下「刊行物１」という。）には、図面とともに以下の事項が記載されている（下線は審決で付した。以下同じ。）。  
　
（１−ａ）「【０００１】
【発明の属する技術の分野】本発明は、遊技場等の遊技を実施可能な適宜な場所に設置される遊技機、例えば、パチンコ遊技機、雀球遊技機、アレンジボール遊技機や遊技媒体としてコインや遊技球を使用するスロットマシンなどの遊技機、特には１台の遊技機に必要とされる遊技媒体量を大幅に少ないものにできる遊技機に関する。」
 　 
（１−ｂ）「【０００６】よって、本発明は上記した問題点に着目してなされたもので、補給装置や揚送装置等の各種装置を島の改造や新設において設ける必要を無くすことで、遊技機の設置における自由度を向上でき、且つ１台の遊技機に必要とされる遊技媒体数を大幅に低減することのできる遊技機を提供することを目的としている。」
 　 
（１−ｃ）「【００２４】前記打球待機皿２２０の上面には、図２に示すように、所定数のパチンコ球を待機球として一時貯留するとともに、その待機球の流下方向下部位置が細幅とされて、前記打球操作ハンドル２４０の操作によりパチンコ球を打ち出す
揺動ハンマ２９３’へ待機球を供給する待機球供給樋へ待機球を整列移送する皿部２２１
 　 
（１−ｄ）「【００３１】前記ガラス扉枠２０１の後方には、
遊技盤２０２
 　 
（１−ｅ）「【００３３】前記打球操作ハンドル２４０が操作されると、遊技機の背面下部に設けられている後述する
打球発射モータ２９３が駆動され
揺動ハンマ２９３’が揺動して打球待機皿２２０に待機する待機球が順次、遊技領域２０３内へ発射される。
【００３４】また、前記
遊技領域２０３に打ち込まれ、いずれの入賞口にも入賞しなかったパチンコ球はアウト口２１７に回収され、
回収球タンク２８４に回収される
 　 
（１−ｆ）「【００４４】このように、打込球回収路２５８を設けて遊技に使用された入賞球（セーフ球）並びにアウト球を
回収球タンク２８４へ移送、回収するようにすることは、これらの遊技に使用された球も後述する移送部としての揚送装置２８８にて揚送されて循環使用されるようになる
【００４５】本実施例のパチンコ機２の裏面下部位置には、前述のように、遊技に使用されて回収されたパチンコ球を回収、貯留する回収球タンク２８４が設けられている。
この回収球タンク２８４には、前記打球待機皿２２０の皿部２２１に遊技媒体排出部である球切払出装置２６５より排出されて供給されたパチンコ球が一杯である場合に、前記球流入口２４３より前記皿部２２１に流入できずに溢れたパチンコ球や該皿部２２１からこぼれ落ちたパチンコ球が流下するクレジット球流路２７５が接続されており、前記皿部２２１に流入できずに溢流（オーバーフロー）したパチンコ球は、該クレジット球流路２７５の流路上に設けられているクレジット球スイッチ２８３により検出されてクレジット球数に加算された後、前記回収球タンク２８４内に貯留される
　
（１−ｇ）「【００５０】これら
回収球タンク２８４内に貯留されたパチンコ球は、図３並びに図７に示すように、前記揚送球通路２８６に連設して設けられた移送部としての揚送装置２８８に供給される。
スプロケット４０２が図中矢印方向に駆動モータ４０１により回転駆動されることで、前記揚送球通路２８６より供給されたパチンコ球が揚送路２８９に送り出されて、順次環流路２５９へ移送され、該環流路２５９の経路上に設けられた上部貯留タンク２６０に貯留される。
　
（１−ｈ）「【００５７】この上部貯留タンク２６０下部位置には、パチンコ機２の裏面右部に設けられている球切払出装置２６５へ貯留されているパチンコ球を導く環流路２５９が設けられているとともに、該環流路２５９の経路中には、
上部貯留タンク２６０に貯留されているパチンコ球を
流下させる
【００５８】この本実施例に用いた
球切払出装置２６５並びに球切払出装置２６５周辺の流路を図５に示す。
球切払出装置２６５内には、
下流側に排出可能なスプロケット４５２
スプロケット４５２
第１経路２６６或いは第２経路２６７のいずれかに排出される。
【００５９】この球切払出装置２６５より排出された各経路のパチンコ球は、該球切払出装置２６５の下部に設けられた下部進路切替装置２７４に連結路４５４を通じて供給される。この下部進路切替装置２７４内には、図５並びに図６に示すように、前記球切払出装置２６５内部に設けられている上部経路切替弁２６８並びにソレノイド２６９と同様に、下部経路切替弁２７１並びにソレノイド２７２が設けられており、前記第２経路２６７に払い出されたパチンコ球の進路を前記第１経路２６６に適宜に変更することができるようになっており、前記第１経路２６６は図３に示すように、取出球通路２７６介して前記外部取出口２４９に繋がっている。
【００６０】また、前記
第２通路２６７は、前記打球待機皿２２０の球流入口２４３に繋がっていて、最終的に該第２通路２６７を進路とされたパチンコ球は前記球流入口２４３より前記皿部２２１内に流入するか、前記クレジット球流路２７５を流下して
回収球タンク２８４内に貯留される
　
（１−ｉ）「【０１７８】また、これら遊技媒体環流経路の一部となる揚送装置２８８や、揚送球通路２８６や、研磨装置２９０等を、例えば図２１に示すように、ガラス扉枠２０１側でなく遊技島台３３０側、例えば遊技島台３３０の載置板３３４上等に設けておき、パチンコ機２を遊技島台３３０に設置してガラス扉枠２０１により基枠３３１の前面を閉塞した状態において、これら遊技島台３３０側に設けられている揚送装置２８８や、揚送球通路２８６や、研磨装置２９０等が本発明における遊技媒体環流経路を形成するようにしても良い。つまり、本発明はパチンコ機２が設置された状態で遊技媒体環流経路が形成されるものも含まれる。
【０１７９】このように、これら
揚送装置２８８
遊技島台３３０側に設ける
【０１８０】前記実施例１では、遊技媒体待機部である皿部２２１に開閉蓋２２５を設けているが、本発明はこれに限定されるものではなく、これら開閉蓋２２５を設けない構成としても良いし、前記実施例２のように、これら開閉蓋２２５が開閉しない構成としても良い。」
　
（１−ｊ）「【０２１９】
【発明の効果】本発明は次の効果を奏する。
（ａ）請求項１の発明によれば、少なくとも前記遊技媒体払出部より払い出されて前記溢れ遊技媒体検出手段にて検出された遊技媒体が前記記憶部に加算記憶されるとともに、該検出済みとなった遊技媒体が前記遊技媒体環流経路を通じて前記遊技媒体払出部に環流され、再度遊技媒体払出部より払い出されるようになり、
これら遊技媒体が遊技機１台にて循環使用される
　
（１−ｋ）「【図８】本発明の実施例１のパチンコ機並びにカードユニットが設置された遊技場の
システム
　
（１−ｌ）上記摘記事項（１−ｅ）、（１−ｆ）、（１−ｇ）、（１−ｊ）から、打球発射モータ２９３の駆動により揺動ハンマ２９３’から発射されたパチンコ玉を回収球タンク２８４に回収し、これらパチンコ球を揚送装置２８８にて揚送し、上部貯留タンク２６０に貯留して遊技機１台にて循環使用される遊技機であることが分かる。
　
（１−ｍ）上記摘記事項（１−ｄ）、（１−ｅ）、（１−ｆ）、及び図１、３から、パチンコ機２は、打球発射モータ２９３と揺動ハンマ２９３’、上部貯留タンク２６０、遊技盤２０２、球切払出装置２６５を有するといえる。
　
（１−ｎ）上記摘記事項（１−ｃ）、（１−ｈ）、及び図６から、球切払出装置２６５は、上部貯留タンク２６０から流下したパチンコ球を排出するスプロケット４５２と、スプロケット４５２から排出されるパチンコ球を揺動ハンマ２９３’にパチンコ球を供給する皿部２２１内に流入させる第２通路２６７とを具備しているといえる。
 　  
（１−ｏ）上記摘記事項（１−ｆ）、（１−ｈ）から、当該第２通路２６７は、パチンコ球を皿部２２１内に流入させる球流入口２４３に繋がっており、当該流入口２４３より皿部２２１に流入できずに溢れたパチンコ球を回収球タンク２８４に貯留して揚送装置２８８に供給するようになっているといえる。
　
（１−ｐ）上記摘記事項（１−ｇ）、（１−ｈ）から、揚送装置２８８は、第２通路２６７から供給されるパチンコ玉を上部貯留タンク２６０まで揚送するといえる。
　
　上記の事項を総合すると、刊行物１には、次の発明が記載されていると認められる（以下「刊行物１発明」という。）。  
　
「打球発射モータ２９３の駆動により揺動ハンマ２９３’から発射されたパチンコ玉を回収球タンク２８４に回収し、これらパチンコ球を揚送装置２８８にて揚送し、上部貯留タンク２６０に貯留して遊技機１台にて循環使用される遊技機であって、
　打球発射モータ２９３と揺動ハンマ２９３’、上部貯留タンク２６０、遊技盤２０２、球切払出装置２６５を有するパチンコ機２を具備してなり、
　前記球切払出装置２６５は、上部貯留タンク２６０から流下したパチンコ球を排出するスプロケット４５２と、スプロケット４５２から排出されるパチンコ球を揺動ハンマ２９３’にパチンコ球を供給する皿部２２１内に流入させる第２通路２６７とを具備してなり、
　当該第２通路２６７は、パチンコ球を皿部２２１内に流入させる球流入口２４３に繋がっており、当該流入口２４３より皿部２２１に流入できずに溢れたパチンコ球を回収球タンク２８４に貯留して揚送装置２８８に供給するようになっており、
　前記揚送装置２８８は、第２通路２６７から供給されるパチンコ玉を上部貯留タンク２６０まで揚送する遊技機。」
　　
（２）対比
　本願補正発明と刊行物１発明とを対比する。
　
ア　刊行物１発明における「打球発射モータ２９３と揺動ハンマ２９３’」、「パチンコ玉」、「上部貯留タンク２６０」、「遊技盤２０２」、「球切払出装置２６５」、「スプロケット４５２」、「第２通路２６７」及び「揚送装置２８８」は、その構成及び機能からみて、それぞれ、本願補正発明における「球発射装置」、「遊技球」、「球タンク」、「遊技盤」、「球払い出し装置」、「払い出し部材」、「通路部材」及び「揚送装置」に相当する。
　
イ　刊行物１発明においては、上部貯留タンク２６０に貯留されたパチンコ玉を、揺動ハンマ２９３’にパチンコ球を供給する皿部２２１内に流入させるから、揺動ハンマ２９３’から発射されたパチンコ玉を再び揺動ハンマ２９３’から発射されるように戻して循環させているといえる。また、刊行物１発明は、遊技機１台にて循環使用される遊技機であり、刊行物１には上記摘記事項（１−ｋ）にシステム図も示されているから、遊技球循環型遊技システムのための遊技機であるといえる。
　よって、刊行物１発明の「打球発射モータ２９３の駆動により揺動ハンマ２９３’から発射されたパチンコ玉を回収球タンク２８４に回収し、これらパチンコ球が揚送装置２８８にて揚送し、上部貯留タンク２６０に貯留して遊技機１台にて循環使用される遊技機」は、本願補正発明の「遊技球を揚送する揚送装置を介し球発射装置から発射される遊技球を再び前記球発射装置に戻すように循環させる遊技球循環型遊技システムのための遊技機」に相当する。
　
ウ　刊行物１発明の「第２通路２６７」は、パチンコ玉を揺動ハンマ２９３’に送るように案内しているといえるから、刊行物１発明の「球切払出装置２６５は、上部貯留タンク２６０から流下したパチンコ球を排出するスプロケット４５２と、スプロケット４５２から排出されるパチンコ球を揺動ハンマ２９３’にパチンコ球を供給する皿部２２１内に流入させる第２通路２６７とを具備」する点と、本願補正発明の「この払い出し手段から払い出される遊技球を、球発射装置に送るように球送り装置に向けて案内する通路部材とを具備」する点は、「この払い出し手段から払い出される遊技球を、球発射装置に送るように案内する通路部材とを具備」という概念で共通する。
　
エ　刊行物１発明の「当該第２通路２６７は、パチンコ球を皿部２２１内に流入させる球流入口２４３に繋がっており、当該流入口２４３より皿部２２１に流入できずに溢れたパチンコ球を回収球タンク２８４に貯留して揚送装置２８８に供給する」において、パチンコ球が流入口２４３より皿部２２１に流入できずに溢れるということは、第２通路２６７に溢れたパチンコ球を回収球タンク２８４へ通じる通路に向けて排出する何らかの開口部を有しているといえる。
　よって、刊行物１発明の「当該第２通路２６７は、パチンコ球を皿部２２１内に流入させる球流入口２４３に繋がっており、当該流入口２４３より皿部２２１に流入できずに溢れたパチンコ球を回収球タンク２８４に貯留して揚送装置２８８に供給する」点は、本願補正発明の「当該通路部材は、前記揚送装置へ排出するための開口部を有して、前記球送り装置への案内方向から外れる遊技球を前記開口部から前記揚送装置へ排出する」点に相当する。
　
オ　上記エを踏まえれば、刊行物１発明の「揚送装置２８８は、第２通路２６７から供給されるパチンコ玉を上部貯留タンク２６０まで揚送する」点と本願補正発明の「揚送装置は、その揚送方向に並ぶ複数列の揚送片を有し、当該複数列の揚送片により、その列ごとに、通路部材の開口部から排出される遊技球を受け取って球タンクまで揚送する」点とは「揚送装置は、通路部材の開口部から排出される遊技球を受け取って球タンクまで揚送する」という概念で共通する。
　
カ　したがって、本願補正発明と刊行物１発明とは、
「遊技球を揚送する揚送装置を介し球発射装置から発射される遊技球を再び前記球発射装置に戻すように循環させる遊技球循環型遊技システムのための遊技機であって、
　前記球発射装置、球タンク、遊技盤、球払い出し装置を有する遊技機本体を具備してなり、
　前記球払い出し装置は、前記球タンクから流下する遊技球を払い出す払い出し手段と、
　この払い出し手段から払い出される遊技球を、前記球発射装置に送るように案内する通路部材とを具備してなり、
　当該通路部材は、前記揚送装置へ排出するための開口部を有して、前記球送り装置への案内方向から外れる遊技球を前記開口部から前記揚送装置へ排出するようになっており、
　前記揚送装置は、前記通路部材の前記開口部から排出される遊技球を受け取って前記球タンクまで揚送するようにした遊技球循環型遊技システムのための遊技機。」
の点で一致し、以下の点で相違する。　
　
［相違点１］
　本願補正発明は、遊技機本体が球送り装置を有するのに対し、刊行物１発明は、これを有していない点。
　
［相違点２］
　通路部材に関して、本願補正発明は、払い出し手段から払い出される遊技球を、球発射装置に送るように球送り装置に向けて案内するのに対し、刊行物１発明は、スプロケット４５２から排出されるパチンコ球を、揺動ハンマ２９３’にパチンコ球を供給する皿部２２１内に流入させる点。
　　
［相違点３］
　揚送装置に関して、本願補正発明は、その揚送方向に並ぶ複数列の揚送片を有し、当該複数列の揚送片により、その列ごとに、通路部材の開口部から排出される遊技球を受け取って球タンクまで揚送するのに対し、刊行物１発明は、第２通路２６７から供給されるパチンコ玉を上部貯留タンク２６０まで揚送するものの、上記複数列の揚送片を有していない点。
　
（３）判断
　上記相違点について検討する。
［相違点１］、［相違点２］について
　遊技機の技術分野において、遊技機本体に、遊技球を発射装置に供給する球送り装置を設けることは、本願出願前において周知技術である（例えば、特開２００９−８２２２１号公報の段落【００２６】〜【００３０】、図５、及び特開２０１０−２９５３９号公報の段落【００１６】〜【００１８】、図３参照。）。
　よって、刊行物１発明に上記周知技術を適用して、通路部材を遊技球を球発射装置に送るように球送り装置に向けて案内するように構成し、もって、上記相違点１、２に係る本願補正発明の構成とすることは、当業者が適宜なし得ることである。　
　
［相違点３］について
　遊技機の技術分野において、揚送方向に並ぶ複数列の揚送片を有し、当該複数列の揚送片により、その列ごとに、遊技球を受け取って上部に揚送する揚送装置を設けることは、本願出願前において周知の技術事項である（例えば、特開平８−８４８４６号（以下「刊行物２」という。）の段落【００１５】〜【００２０】、図１〜５、特開平５−２３４３３号公報の段落【０００８】〜【００１２】、図４〜９、及び実願昭５１−１６１６９８号（実開昭５３−７８１８３号のマイクロフィルムの第１〜３頁、第１〜４図参照。）。
　そして、刊行物１発明のパチンコ玉を上部貯留タンク２６０まで揚送する揚送装置と上記周知の技術的事項の揚送装置とは、遊技球を上部に揚送するという共通の機能を有するものである。
　よって、刊行物１発明に上記周知の技術事項の揚送装置を適用し、上記相違点３に係る本願補正発明の構成とすることは、当業者であれば容易になし得たことである。
　
　請求人は、請求の理由において、周知の技術事項として示した刊行物２には、本願補正発明にいうような球発射装置から発射される遊技球を当該球発射装置に再び戻るように揚送装置を介し循環させようとする技術的思想は、本来的に存在しないから、刊行物２の発明を刊行物１発明に寄せ集めるということを想到し得ることは、基本的にあり得ない旨主張する（審判請求書第１２頁第９行〜第１３頁第２０行参照。）。
　確かに、刊行物２には、揚送装置を本願補正発明のような遊技球循環型遊技システムのための遊技機、いわゆる循環式の遊技機に用いることは記載されていない。
　しかしながら、刊行物１発明における、いわゆる循環式の遊技機における揚送装置と刊行物２に記載された揚送装置とは、いずれもパチンコホールに設置されるものであり、先に述べたとおり遊技球を上部に揚送するという共通の機能を有するものであるから、一方の揚送装置を他方の揚送装置で代替しようとすることは、当業者であれば容易に着想することである。
　また、刊行物１発明の遊技機は、「遊技媒体が遊技機１台にて循環使用されるようになるため、１台の遊技機に必要とされる遊技媒体量を大幅に低減することができ、且つ前記遊技媒体環流経路を有することから遊技機の設置における自由度を向上できる」（段落【０２１９】参照）という効果を奏するものであり、このような効果を発揮させるためには、揚送装置は、遊技媒体を循環させればよいものであり、何ら特定の揚送装置に限定されるものではない。
　よって、刊行物１発明の遊技機に、刊行物２に記載された「揚送方向に並ぶ複数列の揚送片を有し、当該複数列の揚送片により、その列ごとに、遊技球を受け取って上部に揚送する揚送装置」を適用することを妨げる特段の事情は見当たらない。
　したがって、刊行物１発明に刊行物２等の周知の技術事項を組み合わせることは当業者であれば容易になし得ることであり、請求人の主張は採用できない。
　
　そして、本願補正発明が奏する効果は、当業者が刊行物１発明、周知技術、及び周知の技術事項から予測し得る程度のものであって、格別のものではない。　
　
（４）まとめ
　以上のように、本願補正発明は、当業者が刊行物１発明、周知技術及び周知の技術事項に基づいて容易に発明をすることができたものであるから、特許法第２９条第２項の規定により、特許出願の際独立して特許を受けることができない。
　
３ 補正却下の決定についてのむすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１ 本願発明  
　本件補正は上記のとおり却下されたので、本願の各請求項に係る発明は、平成２５年１月２５日付け手続補正書により補正された特許請求の範囲に記載されたとおりのものであり、特に、請求項１に係る発明（以下「本願発明」という。）は次のとおりである。
「遊技球を揚送する揚送装置を介し球発射装置から発射される遊技球を再び前記球発射装置に戻すように循環させる遊技球循環型遊技システムに適用されて、前記球発射装置に加え、球タンク、遊技盤、球払い出し装置及び球送り装置を有する遊技機本体を具備してなる遊技機において、
　前記球タンクから流下する遊技球を払い出す払い出し手段と、
　この払い出し手段から払い出される遊技球を、前記球発射装置に送るように前記球送り装置に向けて案内する通路部材とを備えており、
　当該通路部材は、前記球揚送装置へ排出するための開口部を有して、当該開口部から、前記球送り装置への案内方向から外れる遊技球を排出するようになっており、
　前記揚送装置は、その揚送方向に並ぶ複数列の揚送片により、その列ごとに、前記球発射装置から発射されて前記遊技盤を介し排出される遊技球を受け取って前記球タンクまで揚送することを特徴とする遊技球循環型遊技システムのための遊技機。」
　
２ 刊行物  
　刊行物１及びその記載事項並びに刊行物１発明は、上記「第２ ２」に記載したとおりである。  
  
３ 対比・判断  
　本願発明は、上記「第２」で検討した本願補正発明から前記限定事項を省いたものである。  
　そうすると、本願発明の特定事項を全て含み、さらに他の特定事項を付加したものに相当する本願補正発明が、上記「第２ ２」に記載したとおり、刊行物１発明、周知技術及び周知の技術事項に基づいて当業者が容易に発明をすることができたものであるから、本願発明も、同様の理由により、当業者が刊行物１発明、周知技術及び周知の技術事項に基づいて容易に発明をすることができたものである。 
　
４ むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。